(57)【要約】【課題】従来のイカ角投入器は、イカ角と釣り糸を絡ませ易いことや、イカ釣りセットの錘を遠投せざるを得ないこと等の課題があった。【解決手段】複数のイカ角を整列配置するベース基板を設け、当該ベース基板にイカ角を投入方向に向けて配置し、各々のイカ角間を隔壁で仕切ると共に、イカ角軸端ストッパーを配置し、その上部にはハリス挿入スリットを有するハリス導入板をイカ角を投入方向にオーバーハングさせるように形成し、イカ角軸端に結接したハリスをハリス導入板のスリットに挿入して引っ張り、前記ハリスに結接した釣り糸を弾性体間に挿入して摩擦力で保持する釣り糸摩擦力保持器等をもって構成することにより、釣り糸とイカ角の絡みを防止でき、且つ、イカ角を遠投する必要の無いイカ角投入器を提供する。【選択図】図１
2012175966.tif 000002
【特許請求の範囲】
【請求項１】
イカを引掛ける針であるカンナと、前記カンナを固着したイカ角軸から成るイカ角の前記カンナ側を、投入する方向に向けて前記イカ角を複数個整列配置するベース基板を設け、前記ベース基板には前記整列配置した複数個のイカ角間に隔壁を前記ベース基板の平面に対して垂直に固着し、更に前記ベース基板には、前記イカ角のカンナの反対側であってハリスが結ばれるイカ角軸端を接触させて受け止めるイカ角軸端ストッパーを配置し、更に、前記イカ角軸端ストッパーの上面には前記隔壁間に整列配置した複数個のイカ角毎に前記ハリスが導入でき、且つ、イカ角の軸径よりも狭く構成したスリットを形成したハリス導入板を形成し、更に前記ハリス導入板を前記イカ角軸端ストッパーよりも、前記ベース基板に整列配置した前記イカ角の前記カンナ側にオーバーハングするように形成するとともに、前記オーバーハングしたハリス導入板の前記カンナ側方向の端縁部側が、前記ベース基板の平面から離間する方向に傾斜させたことを特徴とするイカ角投入器。
【請求項２】
請求項１記載のイカ角投入器において、前記イカ角のカンナが配置される側のベース基板の端縁部には、前面壁を設け、更に、前記前面壁の上部には円柱または円筒形状のバーを形成したことを特徴とするイカ角投入器。
【請求項３】
請求項１、または請求項２記載のイカ角投入器において、前記ハリス導入板の背部、すなわち前記ハリスが前記ハリス導入板から抜き出た部位の近傍であって、前記ベース基板の平面に対して前記ハリスがハリス導入板から抜き出る部位よりも高い位置に前記ハリス導入板に平行に、ハリス引き上げバー、またはハリス引上げ凸部を形成したことを特徴とするイカ角投入器。
【請求項４】
請求項１から請求項３のいづれか記載のイカ角投入器において、前記イカ角のカンナが配置される側のベース基板の反対側の端縁部には、請求項１記載のハリス導入板のスリットから抜き出たハリスを結接した釣り糸であって、隣り合うハリスを結接した釣り糸を中間点で折り返し、前記釣り糸を挟み込むように構成した弾性体に前記中間点で折り返した釣り糸を挿入することによって、釣り糸に摩擦保持力を与えるように形成した釣り糸摩擦力保持部を、前記基板に配置されるイカ角の数に対応して複数個設けたことを特徴とするイカ角投入器。
【請求項５】
請求項１から請求項４のいづれか記載のイカ角投入器において、前記ベース基板を、前記イカ角ストッパーの背部近傍、すなわち、前記イカ角の軸端を受け止める側で無い側の前記イカ角ストッパーの壁面近傍で二つに折り曲げ自在に形成し、前記イカ角軸端を受け止める側であってイカ角が配置される側の基板をベース基板に、一方の、前記釣り糸摩擦力保持部を形成した方の基板をガイド基板として構成したことを特徴とするイカ角投入器。
【発明の詳細な説明】
【技術分野】
【０００１】
本発明は複数のイカ角から成るイカ釣りセットのイカ角を、船上から海中に投入するイカ角投入器の発明に関し、特には遊漁船において、船上からイカ角の投入、投入後のイカ角を引き上げてからの取り込み、そして次の再投入という一連の動作をトラブルなくスムースに実施することを可能としたことを特徴とするイカ角投入器に関する。        
【背景技術】
【０００２】
イカ角の種類と構造を図２において説明する。図２のイカ角１および２はプラ角と称されるイカ角で、軸、６ａおよび６ｂがプラスチックでできており、その先端に５ａおよび５ｂ、５ｃのカンナと称される先端が尖っていてイカを引っ掛けるための複数（通常８本）の金属針が固着されている。イカ角１は、カンナが１組に対してイカ角２はカンナが２組固着されている。カンナが固着されている軸の反対側にはハリスと称されるナイロンの糸を結接するための穴、２０ａと２０ｂが形成されている。一方、イカ角３と４は一般的にスッテと称される種類のイカ角で前記のプラズノに比べて浮力があり、軸太で軸が短く形成されている。カンナはプラズノ同様に１組のものと２組のものとが市販されている。このようにイカを引っ掛けるカンナと、そのカンナを固着した軸とで形成されているものを、通称、イカ角と称している。
【０００３】
図３に、図２のイカ角１に示すようなプラスチック軸を用いた一般的なイカ釣りセッの一例を示す。図３に示すようにイカ釣りセットの先端には、錘２９を容易に脱着可能にしたフックと称される部材５２が釣り糸８ｇに結ばれている。当該フックの概略構造については図４の（ｂ）に記載する。釣り糸８ｇは結接点９ｇでハリスと称される８ｇなどの釣り糸よりも細いナイロン糸の７ｇに結ばれ、それを介してイカ角１ｇが結ばれている。以下、図３では、順次イカ角１ａとハリス７ａに至るまで、７本のイカ角で構成したイカ釣りセットを示している。ハリス７ａと結んだ釣り糸８ｈは、図４の（ａ）に示す通称サルカン、またはヨリモドシと称される部材５１に結ばれる。前記フックとより戻しを結合した状況を図４の（ｃ）に表記する。図３において結接点間、例えば９ａから９ｂの間の釣り糸の長さは、一般的なイカ釣りセットでは１．２ｍ前後であり、したがってサルカン５１と９ａ間、および９ｇ間とフック５２間を含めた全長は８ｍから１０ｍ前後になるような長いものである。
【０００４】
従来のイカ角投入器は、イカ釣りセットの１セットが図３に示すように５から７本のイ
カ角が釣り糸に結ばれているが、そのイカ角の数に対応できる本数の円筒状パイプを束ね
て船べり６０に立て掛けておき、イカ角の投入前に予めその円筒パイプの中にイカ角を挿入しておいて、前期イカ釣りセットの釣り糸の先端に結ばれている錘を海中に投げ入れることによって、円筒パイプに挿入していたイカ角が、円筒パイプの中から順次海中に沈みこんでいくという方式のイカ角投入器が殆どで一般的である。その実施の形態の概要を図５に示す。図５は、イカ角１ａから１ｇの７本のイカ角を収納するために、１０ａから１０ｇの７本のパイプから成る筒型パイプで構成した例である。一般的にイカ釣りセット１セットは５から７本のイカ角で構成されているので、市販されている筒型パイプによるイカ角投入器も５から７本組のものがほとんどである。図５に示すがごとく、イカ角以外のハリス７ａから７ｇや釣り糸８ａから８ｇは、拘束されることなくパイプの外で空中に浮遊している。図６には、筒型パイプ投入器の船上での配置の概要を示している。図６に示すがごとく筒型パイプは船べり６０に立てかけて使用する。その長さは１ｍ前後、筒の外径は５０ｍｍ前後が一般的である。尚、イカの釣り場は通常１００ｍ以上の深さがあり、２５０ｍ以上に及ぶ場合もよくある。したがって、近年の遊魚船でのイカ釣りにおいては、図７に示すように１６のロッドキーパと称されている釣竿保持具が船べり６０に固定され、そのロッドキーパ１６に竿１２を固定し、リール１１を電動リールとした構成が殆どである。
【先行技術文献】
【特許文献】
【０００５】
【特許文献１】特開２００８−１７７８６
【発明の概要】
【発明が解決しようとする課題】
【０００６】
イカ角投入器としては、殆ど、図５に示した筒型パイプ方式が使用されているが筒型パイプ方式においては、図５で明らかなように、ハリス７ａから７ｇおよび、釣り糸８ａから８ｇが空中に浮遊した状態にある。イカの釣り場は、船の航行時間が１時間以上の沖合いで行うことが多く、そのような海上でのイカ釣りは、多くの場合強風下で行うことになる。また、海上も波静かなことは少なく、大きなうねりの波の中で船も大きくゆれる。このような状況下で、図６に示す船べり６０に立てかけた投入器から、錘２９を海中に投げ込むことによって、筒型パイプ１０ａから１０ｇに挿入しているイカ角１ａから１ｇを引き出し海中に順次沈下させることになるのであるが、この時、強風によって、空中に浮遊した状態の前記したハリス７ａから７ｇおよび、釣り糸８ａから８ｇに、筒型パイプから順次引き出されるイカ角のいずれかがひっかかることがよくあった。こうなると錘２９からイカ角１ａまでのイカ釣りセットをを引き上げ、からんだイカ角と釣り糸やハリスをなおして、筒型パイプ１０ａから１０ｇにイカ角１ａから１ｇを再セットしなおさなければならない不具合があった。また、前記した空中に浮遊状態にあるハリスや釣り糸が強風にあおられることによって、筒型パイプに挿入しているイカ角１ａから１ｇのいずれかが引き出され、このことによってイカ角とハリスや釣り糸が絡むこともよく経験するところであった。これが第一の課題である。
【０００７】
更に、図３に示すようにイカ釣りセットは段落０００３に記載したように、一般的に使用されるセットでは１０ｍ前後と長いため、錘２９を真下に投下するとイカ角が円筒パイプから抜けきらなくなることになる。このことは図６で容易に推定できる。この問題を避けるためには、図５において、少なくとも錘２９から最も離れた位置にあるイカ角１ａが、筒型パイプから抜けきるような距離まで錘２９を遠くに投げ込まなければならない不具合もあり、このことは更に、海上が荒れていて大きなうねりがある時などには特に、投入者が自らの正面ではなく誤って左方向、右方向に投げ込むことによって、隣の釣り人のイカ釣りセットとからみあう原因にもなっていた。これが第二の課題であるが、上述したような要因によってイカ角がハリスや釣り糸とからみあうと、図２の５ａから５ｆに示すイカ角の先端のカンナは、通常の魚の釣り針とは異なり、一つのカンナに８本の針が固着されていることからほぐすのは容易ではなく、ほぐすのに時間がかかり、せっかくイカの群れに出会ってもこのようなトラブルによって釣果を伸ばすことができないばかりか、前記した絡みをときほぐすことができないで、イカ釣りセットそのものをハサミ等でやむなく切断せざるを得ないことになることも、よく経験するところであった。
【０００８】
また従来のイカ角投入器においては、第三の課題としてイカ釣りセットを海中から引き上げた後、複数本から成るイカ角およびイカ角に結接しているハリスを介してイカ角を連結している釣り糸を固定し整理する手段を有していないため、特にイカがかかっていた時など、一旦、イカかかっているイカ角もイカがかっていないイカ角も船底に落とし置くことによって足元でイカ角と釣り糸を絡ませあうという課題があった。
【０００９】
以上述べたように従来のイカ角投入器では第一の課題として、イカ釣りセットを海中へ投入する前に、イカ角と釣り糸が強風にあおられて絡み合うことがあること、また投入時に錘を投入したことによって投入器の筒から抜き出たイカ角に風にあおられ空中に浮遊している釣り糸が絡み合うトラブルや、第二の課題として、最も一般的に使用されている円筒型パイプ式の投入器においては、構造上、錘を遠投する必要があり、その時に左右の釣り人のイカ釣りセットと交差するような方向に誤って投入することがあるなどして、お互いのイカ釣りセットを絡ませるという問題もあった。第三の課題として、イカ釣りセットを引き上げた時にイカ角を固定し整理する手段を有していないために、イカが掛かっていないイカ角までも船底に落とし置くことによって足元でイカ角と釣り糸を絡ませるという問題があった。本発明はこのような従来のイカ角投入器が有していた課題を解決し、釣果の向上に寄与するイカ角投入器を提供することを目的とするものである。
【課題を解決するための手段】
【００１０】
請求項１について説明する。本発明では、複数個のイカ角のカンナ側をイカ角を投入する方向に向けて整列配置するベース基板を設け、前記ベース基板には前記整列配置した複数個のイカ角間に隔壁を垂直に固着し、更に前記ベース基板には、前記イカ角のカンナの反対側であってハリスが結ばれるイカ角軸端近傍の位置に、当該ベース基板に対して垂直に前記イカ角軸端を接触させて受け止めるイカ角軸端ストッパーをベース基板の同一平面状に配置し、更に、前記イカ角軸端ストッパーの上面には前記ハリスが導入でき、且つ、イカ角の軸径よりも狭く構成したスリットを前記複数個のイカ角の数に対応した数を形成したハリス導入板を、前記ベース基板に整列配置した前記イカ角の前記カンナ側にオーバーハングするように形成するとともに、前記オーバーハングしたハリス導入板の前記カンナ側方向の端縁部側が、前記ベース基板の平面から離間する方向に角度θで傾斜させた。前記構成によって複数個からなるイカ角は、各々隔壁によって仕切られた空間内に整理、収納されるので、前記複数個のイカ角同士及び、イカ角と釣り糸が絡み合うというトラブルを防止することができる。さらに、隔壁によって仕切られた空間内に整理、収納されたイカ角の軸端は、前記ハリス導入板に形成された前記スリットから抜き出たイカ角の軸端に結ばれたハリスに引っ張り力を与えることによって、前記の傾斜させたハリス導入板と、前記イカ角軸端ストッパーの壁面とに押付けられる。この結果、前記ハリス導入板が前記したように傾斜していることから、イカ角の軸にはイカ角の軸端が接触している前記ハリス導入板と前記イカ角軸端ストッパーの部位を支点にして、前記ベース基板方向へ押付けようとするモーメント力が発生する。したがって、前記イカ角のカンナには常に前記ベース基板に接触するような方向に前記モーメント力が発生することから、前記導入板を前述したように角度θで傾斜させることによって、船の振動によってもイカ角を安定的に保持する作用を得ることが出来る。また、図３に示すイカ釣りセットにおいて、錘２３を海中に投入すると、それぞれハリス７ａから７ｇに結ばれたイカ角１ａから１ｇおよび、前記ハリスにそれぞれ結接した８ｈ、８ａから８ｇに至る釣り糸は、前記錘２３の沈下に伴い前記ベース基板の前部に接触しながら海中に入っていくことになるので、前記錘２３を遠投しなくても直下に投入可能になる。尚、前記ベース基板の前部に平行に、記載していない円筒か丸棒、またはロールを設置しても構わない。
【００１１】
請求項２について説明する。請求項１記載のイカ角投入器において、前記イカ角のカンナが配置される側のベース基板の端縁部には、前記イカ角のカンナを構成する引っ掛け針間の径よりも大きい高さを有する前面壁を設け、更に、前記前面壁の上部には円柱または円筒形状のバーを形成した。前記構成によって、後述の図３示すイカ角釣りセットの錘２３を海中に投入するとき、釣り糸８ｈ、および８ａから８ｇは前記断面が円形状のイカ角反転助成バーの上部に沿って、更に前記釣り糸に結ばれているイカ角１ａから１ｇは同様に前記イカ角反転助成バーで反転して海中に沈下するので、本構成によるイカ角投入器でもイカ釣りセットの錘２３を直下に投入することを可能にした。したがって、従来のイカ角投入器では前記錘２３を遠投せざるを得ないという課題があったがこの課題を解決することができる。尚、前記した前面壁の上部に断面が円形をしたイカ角反転助成バーを形成するように記述したが、必ずしも前記反転助成バーを形成する必要はなく、前記前面壁の上部でイカ角が反転するような構成にしても構わない。
【００１２】
請求項３について説明する。段落００１０においてハリス導入板に形成されたスリットから抜き出たイカ角の軸端に結ばれたハリスを引っ張ることによって、イカ角の軸端が接触しているハリス導入板とイカ角軸端ストッパーの部位を支点にして、イカ角をベース基板の平面方向へ押付けようとするモーメント力が発生することを記載したが、前記ハリス導入板の背部、すなわちイカ角軸端に結ばれたハリスが前記ハリス導入板から抜き出た部位に、前記ハリス導入板に平行にハリス引き上げバーまたはハリス引き上げ凸部を形成し、そして当該ハリス引上げバーまたはハリス引上げ凸部をベース基板の平面に対して、前記ハリス導入板に形成した前記スリットのハリスが抜き出る位置よりも高位にセットするように形成すれば、前述したイカ角の軸端が接触しているハリス導入板とイカ角軸端ストッパーの部位を支点にして、イカ角軸端に結ばれているハリスを引っ張る角度を大きくすることになり、この結果、段落００１１に記述したイカ角の軸を前記ベース基板方向へ押付けようとするモーメント力をより強くする効果を得る事ができる。したがって、船の振動に対してイカ角の揺動をより少なくする効果を得ることが出来る。また、前記ハリスがハリス導入板から抜き出る部位よりも高い位置に、前記ハリス導入板に平行にハリス引き上げ凸部（バー）を形成したことによって、前記イカ角を海中に投入する場合、前記ハリスと結ばれた釣り糸とを結接した部位の結接コブが、前記ハリス導入板のスリットに引っ掛ることを防止する効果もある。
【００１３】
請求項４について説明する。請求項１から請求項３記載のイカ角投入器において、イカ角が配置されるベース基板のカンナが配置される側の反対側の端縁部には、請求項１記載のハリス導入板のスリットから抜き出たハリスを結接した釣り糸であって、隣り合うハリスを結接した釣り糸を中間点で折り返し、前記ベース基板に垂直方向に前記釣り糸を挟み込むように構成した弾性体に、前記中間点で折り返した釣り糸を挿入することによって、釣り糸に摩擦保持力を与えるように形成した釣り糸摩擦力保持部を、前記基板に配置されるイカ角の数に対応して複数個設けた。これによって前述したように隣り合うハリスを結接した釣り糸を中間点で折り返して、前記弾性体に挿入することによって釣り糸は空中に浮遊することはなくなるので、釣り糸同士あるいはイカ角等と絡み合ってトラブルになることは防止できる。とともに、段落００１０でイカ角はイカ角の軸端に結ばれたハリスに引っ張り力を与えることによって、傾斜させたハリス導入板と、イカ角軸端ストッパーの壁面とに押付けられ保持されることを記載したが、前述の隣り合うハリスを結接した釣り糸を中間点で折り返して釣り糸摩擦力保持部の弾性体に挿入し、一定の張力を与えた状態で保持することによって、イカ角はイカ角の軸端が傾斜させたハリス導入板と、イカ角軸端ストッパーの壁面とに押付けられる力が強くなるのでより安定した状態で保持される。
【００１４】
請求項５について説明する。請求項１から請求項４記載のイカ角投入器において、前記ベース基板を前記イカ角ストッパーの背部近傍、すなわち、前記イカ角の軸端を受け止める側で無い側の前記イカ角ストッパーの壁面近傍で二つに折り曲げ自在に形成した。これによって本発明のイカ角投入器を船べりにセットした時、前記したベース基板を二つに折り曲げ自在に形成した部位のうち、釣り糸摩擦保持部が形成されている部分を船底方向に傾斜させてセットすることが可能になる。この結果、イカ角投入器の実質的な長さが縮小されて釣り人と船べりの間の空間が多少とも広くなることと、前記した中間点で折り返した釣り糸を釣り糸摩擦力保持部に挿入する場合に操作性が良くなる効果がある。
【発明の効果】
【００１５】
前述した構成によって複数個からなるイカ角は、各々、隔壁によって仕切られた空間内に収納されるので、船の振動や風によって前記複数個のイカ角同士及び、イカ角と釣り糸が強風などによって絡み合うというトラブルや、イカ釣りセットを引き上げた時にイカ角を固定し整理する手段を有していないために、イカが掛かっていないイカ角までも船底に落とし置くことによって、足元でイカ角と釣り糸を絡ませるという問題等を防止することができる。また、実際のイカ釣りで使用される錘は、水深１００ｍ以上の場合は通常１２０号（重量約４３０ｇ）が使用され、水深５０ｍ前後では６０号（重量約２１６ｇ）程度が使用されるが、本発明では５０号の錘（約１８０ｇ）でも遠投することなく舷側近傍に投入すればイカ角は前記錘の海中への沈下とともに海中へ引き込まれるので、従来の筒型イカ角投入器のようにイカ角セットの釣り糸の長さ約８から１０ｍが前記イカ角投入器の筒から抜けきるような距離まで遠投する必要はなく、船べりの直下に錘を投入することを可能にした。したがって、従来の投入器のように遠投する必要性はなくなり投入動作が楽になること、および、遠投時の自らの投入ミスで隣の釣り人のイカ釣りセットに絡ませるという問題もなくすることができる。また、海中から引上げたイカ角は請求項１および請求項１に記載した隔壁間にイカ角を整列して保持できるので風や船の揺れで前記隔壁外にはみ出して自在に揺れ動くことはない。本発明によるイカ角投入器は上述した機能を有することによって、従来の投入器にあったような風波による船上でのイカ釣りセットの絡みや、引き上げたイカ釣りセットを船内で絡ませることを防止できること、錘を遠投する必要が無いことから１０数人にも及ぶ乗船者がいる遊魚船でのイカ釣りを行う時、自分の錘の投入ミスで乗船者のイカ釣りセットと絡ませることを極力避けることが出来ること、また、イカ角の長さが異なっても前記の隔壁、イカ角軸端ストッパーで構成されるイカ角収納空間の長さの範囲でイカ角の長さの違いに容易に対応できる等々によって、快適で、より釣果を向上させる効果を有するイカ角投入器を提供することができる。
【図面の簡単な説明】
【００１６】
【図１】本発明によるイカ角投入器
【図２】イカ角の種類
【図３】イカ釣りセットの標準的な構成図
【図４】サルカンとフックの形状図
【図５】従来の筒型パイプによるイカ角投入器
【図６】筒型パイプによるイカ角投入器の船上配置図
【図７】釣竿と電動リールをロッドキーパで船べりに固定した図
【図８】請求項１の構成例
【図９】請求項２の構成例
【図１０】請求項２の実施の機能図
【図１１】請求項３の構成例
【図１２】請求項４の構成例Ａ
【図１３】請求項４の構成例Ｂ
【図１４】請求項５の構成例
【図１５】釣り糸中間ガイド部
【発明を実施するための形態】
【００１７】
以下、本発明を実現するための実現するための実施例について図１および図８から図１５について説明する。図１については段落００２６において説明する。尚、図２から図７については段落０００２から０００４において記述した。
【００１８】
図８について説明する。図８に請求項１を実現するための実施の一例を示した。図８において複数個のイカ角１ａから１ｇのカンナ５ａａから５ａｇ側をイカ角を投入する方向に向けて整列配置するベース基板１０４を設け、前記ベース基板には前記整列配置した複数個のイカ角間に隔壁１０３ａから１０３ｈを垂直に固着し、更に前記ベース基板１０４には、前記イカ角のカンナの反対側であってハリス７ａから７ｇが結ばれるイカ角軸端近傍の位置に、当該ベース基板１０４に対して垂直に前記イカ角軸端を接触させて受け止めるイカ角軸端ストッパー１０７をベース基板の同一平面上にイカ角１ａから１ｇの軸端を受け止められるように配置し、更に、前記イカ角軸端ストッパー１０７の上面には前記７ａから７ｇハリスが導入でき、且つ、イカ角の軸径よりも狭く構成したスリット１０６ａから１０６ｇを形成したハリス導入板１０５を、前記イカ角軸端ストッパー１０７よりもイカ角を投入する方向にオーバーハングするように形成するとともに角度θで傾斜させた。前記構成によってイカ角１ａから１ｇは、各々隔壁１０３ａから１０３ｈによって仕切られた空間内に整理、収納されるので、前記複数個のイカ角同士及び、イカ角と釣り糸が絡み合うという従来の投入器の課題であったトラブルを防止することができる。さらに、隔壁１０３ａから１０３ｈによって仕切られた空間内に整理、収納されたイカ角の軸端は、前記ハリス導入板１０５に形成された前記１０６ａから１０６ｇのスリットから抜き出たイカ角の軸端に結ばれたハリスに引っ張り力Ｆ１を与えることによって、傾斜させた前記ハリス導入板１０５と、前記イカ角軸端ストッパー１０７の壁面とに押付けられる。この結果、前記ハリス導入板１０５が前記したように角度θで傾斜していることから、イカ角の軸にはイカ角の軸端が接触している前記ハリス導入板１０５と前記イカ角軸端ストッパー１０７の部位を支点にして、前記ベース基板１０４の方向へ押付けようとするモーメント力Ｆ２が発生する。したがって、前記イカ角のカンナには常に前記ベース基板１０４に接触するような方向に前記モーメント力Ｆ２が発生することから、前記導入板１０５を角度θで傾斜させることによって、船の振動によってもイカ角を安定的に保持する作用を得ることが出来る。尚、前記ハリス導入板の傾斜角度θは実験的に３０度から６０度の範囲が適正である。
【００１９】
図９について説明する。図９には請求項２を実現するための実施の一例を示した。図９においてイカ角１ａから１ｇのカンナ５ａａから５ａｇが配置される側のベース基板１０４の端縁部には、前記イカ角のカンナを構成する引っ掛け針の針先相互間の径よりも大きい高さを有する前面壁１０２を設け、更に、前記前面壁１０２の上部には円柱または円筒形状のイカ角反転助成バー１０１を形成した。前記バー１０１はその両端を反転助成バー支柱１００ａ及び１００ｂによって保持されている。前記構成によって、図３示すイカ角釣りセットの錘２３を海中に投入するとき、釣り糸８ｈ、および８ａから８ｇは前記断面が円形状のイカ角反転助成バー１０１の上部に沿って海中に入っていき、更に前記釣り糸に結ばれているイカ角１ａから１ｇは同様に前記イカ角反転助成バー１０１で反転して海中に沈下するので、本発明によるイカ角投入器では図３に示すイカ釣りセットを遠投する必要は無く直下に投入することを可能にした。したがって、従来のイカ角投入器では前記錘２３を遠投せざるを得ないという課題があったがこの課題を解決することができる。尚、前記した前面壁１０２の上部に断面が円形をしたイカ角反転助成バー１０１を形成するように記述したが、必ずしも前記反転助成バー１０１を形成する必要はなく、前記前面壁１０２の上部でイカ角が反転するような構成にしても構わない。
【００２０】
図１０について説明する。図９に請求項２の実施の一例について記載したが、図１０は図９におけるイカ角投入時のイカ角の移動を図示した。図１０の（ａ）は隔壁１０３ａから１０３ｈで囲まれた空間内にイカ角１ａから１ｇがセットされた状態を示す。この状態から錘２３を海中に投入すると、図１０の（ｂ）に示すように錘２３に結ばれている釣り糸８ｈに結接点９ａで結ばれているハリス７ａに更に結ばれているイカ角１ａは、前面壁に接触した後、図１０の（ｃ）に示すように前記イカ角反転助成バー１０１に接触したあと反転し、図１０の（ｄ）に示すように錘２３に引きずられて海中に沈下していく。イカ角１ａが前記イカ角反転助成バー１０１に接触したあと反転し海中に沈下すると、前記ハリス７ａ、釣り糸８ａを介してハリス７ｂに結ばれているイカ角１ｂが前記前面壁１０２に接触したあと、上述のイカ角１ａと同じように海中に沈下していく。同様にしてイカ角１ｇまでが順次海中に沈下していく。
【００２１】
図１１について説明する。図１１は請求項１の記載内容と請求項３に記載した内容を実現する構成を表記したものである。段落００１８においてハリス導入板１０５に形成された１０６ａから１０６ｇのスリットから抜き出たハリス７ａから７ｇを各々力Ｆ１で引っ張ることによって、イカ角の軸端が接触しているハリス導入板１０５とイカ角軸端ストッパー１０７の部位を支点にして、イカ角をベース基板１０４の平面方向へ押付けようとするモーメント力Ｆ２が発生することを記載したが、前記ハリス導入板１０５の背部、すなわちイカ角軸端に結ばれたハリス７ａから７ｇが前記ハリス導入板１０５から抜き出た部位に、前記ハリス導入板１０５に平行にハリス引き上げバー１０９を形成し、そして当該バーをベース基板１０４の平面に対して、前記ハリス導入板１０５に形成した前記１０６ａから１０６ｇのスリットからハリスが抜き出る位置よりも高位にセットするように形成すれば、前述したイカ角の軸端が接触しているハリス導入板１０５とイカ角軸端ストッパー１０７の部位を支点にして、イカ角軸端に結ばれているハリスを引っ張る角度を大きくすることになり、この結果、段落００１０に記述したイカ角の軸を前記ベース基板方向へ押付けようとするモーメント力Ｆ２をより強くする効果を得る事ができる。したがって、船の振動に対してイカ角の揺動をより少なくする効果を高めることが出来る。
【００２２】
図１２について説明する。図１２は請求項４記載の釣り糸摩擦力保持器１２１の実施の形態の一例を示す。図１２において、（ａ）は平面図、（ｂ）は正面図を示し、（ｄ）は図１２の（ａ）のＡ部の拡大図を示す。そして、（ｃ）は前記（ｄ）の側面図を、（ｅ）は前記（ｄ）のＺ−Ｚ断面図を示す。図１２において、ハリス導入板１０５のスリット１０６（１０６ａから１０６ｇの総称）から引き出されたハリス７を結接した釣り糸であって、隣り合うイカ角のハリスを結接した釣り糸の中間点近傍で折り返して二重になった釣り糸８（８ａから８ｇの総称）を、釣り糸摩擦力保持器１２１の釣り糸摩擦力保持部Ａの１２２（１２２ａから１２２ｆの総称）内に形成されている弾性体１２３（１２３ａａから１２３ｇｂの総称）の間に挿入することによって、前記弾性体間で摩擦力を生じせしめ、当該摩擦力が釣り糸８（８ａから８ｆの総称）の保持力になるように構成した。したがって、前記釣り糸８は、風や船の振動等の影響を受けなくすることを可能にし、釣り糸が空中に浮遊することはなくなるので、釣り糸同士あるいは釣り糸とイカ角等とが絡み合ってトラブルになることは防止できる。前述した機能については図１２のＡ部の拡大図（ｄ）（ｃ）（ｅ）において明白である。図１２の（ｄ）において、釣り糸摩擦力保持器１２１の釣り糸摩擦力保持部Ａの１２２ｆに釣り糸８ｆを挿入すると、図１２の（ｃ）で明らかなように前記釣り糸摩擦力保持部Ａの１２２ｆ内に形成された弾性体１２３ｇａと１２３ｇｂを変形させて前記弾性体の間に釣り糸８ｆが挿入されることになり、前記弾性体の変形に伴う釣り糸への圧縮力で摩擦力が発生することになる。尚、前記した弾性体の断面形状は円形であっても、板状を含めた角形であっても良い。また、前記弾性体の材質はゴムや樹脂系、発泡体、また、板バネなどの金属体であっても構わない。
【００２３】
図１３について説明する。図１３には図１２と同様に請求項４を実現するための実施の形態の一例を示した。図１２にはベース基板１０４に対して釣り糸摩擦保持器に釣り糸を垂直に挿入する実施例を記述したが、図１３はベース基板１０４に対して釣り糸摩擦保持器に釣り糸を水平に挿入する実施例を示す。図１３における前記釣り糸摩擦保持器１２１には、隣り合うイカ角のハリスを結接した釣り糸８ａから８ｆをそれらの中間点近傍で折り一対となし、当該釣り糸挿入スリット１２６を搭載イカ角１ａから１ｇの７本に対して、前記釣り糸摩擦力保持部Ｂを１２６ａから１２６ｆの６組で構成した実施例を示した。図１３の（ｃ）、（ｄ）にはそれぞれ図１３（ａ）のＡおよびＢの拡大図を示す。図１３の（ｄ）において、弾性体１２９と同一高さに設定された押さえ板支柱１２８ｆは、釣り糸ガイド基板４０に固着され当該支柱の上部には押え板１２７ｆが固着されている。前述の構成において釣り糸８ｆを押え板１２７ｆと弾性体１２９の間に挿入すれば、弾性体１２９は釣り糸８ｆの直径分変形し、変形量に対応した締め付け力が釣り糸８ｆに作用し、摩擦力を発生させることになる。この状態で釣り糸８ｆをイカ角１ｇの軸端に結ばれたハリス７ｇと結接されている釣り糸８ｆをイカ角軸端ストッパー１０７に接触するように引っ張れば、釣り糸８ｆはイカ角軸端ストッパー１０７と前記弾性体１２９ｔの間で一定の張力で保持される。このために釣り糸が空中に浮遊することはなくなり、各々の釣り糸が８ａから８ｆが前記釣り糸摩擦保持器で半固定状態で保持されていることから、強風下であっても釣り船の揺動があっても釣り糸同士や釣り糸とイカ角が絡み合うトラブルを防止することが出来る。尚、図１３において前記弾性体１２９は一体としたが、一体とした場合、前記押え板支柱１２８ｆは弾性体１２９に埋設するように構成し、且つ、各々の押え板支柱をベース基板１０４と各々の押え板１２７ａから１２７ｆにそれぞれ固着すればよい。また、前記一体とした弾性体１２９を押え板１２７ａから１２７ｆ毎にそれぞれ個別に分割する構成であっても構わない。
【００２４】
図１４について説明する。図１４に請求項５を実現するための実施の形態の一例を示した。図１４において、イカ角軸端ストッパー１０７の背面部、すなわち釣り糸摩擦保持器１２１側の前記イカ角軸端ストッパー１０７の背面部近傍の位置で前記ベース基板１０４を分割し、前記ハリス導入板１０５およびイカ角軸端ストッパー１０７が配置されている方をベース基板とし、他方、釣り糸摩擦保持器１２１を配置している方をガイド基板１２０とした。そして、前記ベース基板とガイド基板は、記載していない蝶番等で折り曲げ自在に形成した。尚、前記ガイド基板１２０はベース基板１０４を船べり６０に設置して固定するための固定具４７ａと４７ｂのスペースを確保するため、ベース基板１０４よりも釣り糸摩擦力保持器が配置される長手方向側の寸法を短くしている。図１４の（ｂ）に表記したように、ベース基板側を船べり６０上に載置し、固定具４７ａと４７ｂによって前記ベース基板１０４と船べり６０とを一体的に固定するようにした。前記固定具４７ａ、４７ｂにはそれぞれ斜傾材６８ａ、６８ｂを固着しており、前記斜傾材は角度αを形成している。前述した、折り曲げ自在に分割したガイド基板１２０を前記斜傾材６８ａ、６８ｂ上に載置して、前記ガイド基板に固着した弾性体固定ネジ７２ａ、７２ｂに固着したガイド基板保持弾性体７１ａ、７１ｂをそれぞれ、前記斜傾材に固着したフック５２ａと５２ｂに引掛ければ、前記ガイド基板保持弾性体の弾性力でガイド基板１２０は前記斜傾材６８ａと６８ｂ結合されたことになり、釣り船の揺動に対応することができる。
【００２５】
図１５について説明する。図１５には、図１３に示した構成を基本にしてイカ角軸端ストッパー１０７と釣り糸摩擦力保持器１２１の間に釣り糸中間ガイド板１３０を配置した例を表記した。前記釣り糸中間ガイド板１３０には、イカ角１ａから１ｇの軸端に結ばれたハリス７ａから７ｇに結接した釣り糸８ａから８ｆに対応した釣り糸中間ガイドスリット１３１ａから１３１ｆを形成し、当該スリットに前記釣り糸８ａから８ｆを挿入することによって、前記釣り糸中間ガイド板１３０がなくて直接、釣り糸摩擦力保持器１２１のそれぞれの釣り糸挿入スリットに挿入する場合に比して、釣り糸を釣り糸挿入スリット１２６に挿入するという操作性が向上する効果を得ることが出来る。
【００２６】
図１について説明する。本発明の請求項１から請求項５に関わる実施例についてはそれぞれ段落００１８から００２４において詳述した。本項では請求項１および請求項３から請求項５に関わる本発明の基本構成を記載する。図１において、複数個のイカ角１ａから１ｇのカンナ５ａａから５ａｇ側をイカ角を投入する方向に向けて整列配置するベース基板１０４を設け、前記ベース基板には前記整列配置する複数個のイカ角が絡み合わないようにするため隔壁１０３ａから１０３ｈを垂直に固着した。前記隔壁内に収納されたイカ角の軸端を受け止めるイカ角軸端ストッパー１０７をベース基板の同一平面上に配置した。更に、前記イカ角軸端ストッパー１０７の上面には前記７ａから７ｇのハリスが導入でき、且つ、イカ角の軸径よりも狭く構成したスリット１０６ａから１０６ｇを形成したハリス導入板１０５を、前記イカ角軸端ストッパー１０７よりもイカ角を投入する方向にオーバーハングするように形成するとともに、段落００１０で記述したように角度θで傾斜させた。図８に表記し段落００１８に於いて記述したようにイカ角の軸端に結ばれたハリスに引っ張り力Ｆ１を与えることによって、前記した角度θで傾斜させたハリス導入板１０５と、前記イカ角軸端ストッパー１０７の壁面とに押付けられ、この結果、前記ハリス導入板１０５が前記したように傾斜していることから、イカ角にはイカ角の軸端が接触している前記ハリス導入板１０５と前記イカ角軸端ストッパー１０７の部位を支点にして、前記ベース基板１０４の方向へ押付けようとするモーメント力Ｆ２が発生し、前記イカ角のカンナには常に前記ベース基板１０４に接触するような方向に前記モーメント力Ｆ２が作用しているので、釣り船の振動があってもイカ角を安定して保持する効果を得る事ができる。更に、前記ハリス導入板１０５の背部であって、ベース基板１０４の平面に対して、前記ハリス導入スリットからハリスが抜き出る位置よりも高い位置にハリス引き上げバー１０９を配置し、当該引上げバーの上面を支点にして前記ハリスに前述したハリス引張り力Ｆ１を与えれば、前述したイカ角を前記ベース基板１０４の方向へ押付けようとするモーメント力Ｆ２がより強くなるので、釣り船の振動に対するイカ角の揺動をより安定して保持する効果を得る事ができる。次に、前記ハリス導入板１０５のスリットから抜き出た各々のハリス７ａから７ｇは、ハリスと釣り糸の結接点９ａから９ｇで釣り糸と結ばれ、隣り合うイカ角のハリス、例えばイカ角１ａのハリス７ａと、イカ角１ｂのハリス７ｂとを結んだ釣り糸を、その長さの中間点近傍で折り返した釣り糸８ａを釣り糸摩擦保持器のスリットＡ１２２ａに挿入することによって、前記スリット内に形成されている弾性体によって前記釣り糸８ａには摩擦力が生じて半固定状態で保持されることになる。この弾性体による釣り糸の摩擦保持の方式については図１１、図１２に表記すると共に、段落００２１と段落００２２において詳述した。釣り糸は前記釣り糸摩擦保持器１２１内に形成した弾性体と釣り糸との摩擦力によって保持されるるので、釣り糸同士や釣り糸とイカ角との絡み合いによるトラブルは防止できる。次に本発明では、図１０に表記し、段落００２０で詳述し��ように、ベース基板１０４の端縁部に前面壁１０２を形成し、更にその上部にイカ角反転助成バー１０１を固着する構成によって、図３に示したイカ釣りセットの錘２３を従来の投入器のように遠投する必要が無く、直下に投入することを可能とすることについて記述したが図１においては前記前面壁１０２やイカ角反転助成バー１０１を構成していない。前述の前面壁やイカ角反転助成バーが無い図１の構成においても、投入されるイカ角は投入される前方に抵抗するものが無いので、直下に沈下することになるので必ずしも前述の前述の前面壁やイカ角反転助成バーを必要とするものではない。図１に於いては、ベース基板１０４の端縁部にイカ角やイカ角に連なる釣り糸がスムーズに海中に沈下するように、円形状の先端バー１０８を形成した。したがって本発明によるイカ角投入器は図３に示すイカ釣りセットの錘２３従来のイカ角投入器のようにを遠投する必要性は無い。次に本発明ではベース基板１０４を中間位置近傍で折り曲げ自在に形成し、イカ角を配置する方をベース基板１０４とし、他方をガイド基板１２０とした。折り曲げた部位は記載していない蝶番等で結合するように構成した。図１の（ｂ）において、ベース基板１０４側を船べり６０上に載置し、固定具４７ａと４７ｂによって前記ベース基板１０４と船べり６０とを一体的に固定するようにした。前記固定具４７ａ、４７ｂにはそれぞれ斜傾材６８ａ、６８ｂを固着しており、前記斜傾材は角度αを形成している。前述した、折り曲げ自在に分割したガイド基板１２０を前記斜傾材６８ａ、６８ｂ上に載置して、前記ガイド基板に固着した弾性体固定ネジ７２ａ、７２ｂに固着したガイド基板保持弾性体７１ａ、７１ｂをそれぞれ、前記斜傾材に固着したフック５２ａと５２ｂに引掛ければ、前記ガイド基板保持弾性体の弾性力でガイド基板１２０は前記斜傾材６８ａと６８ｂ結合されたことになり、釣り船の揺動に対応することができる。この結果、イカ角投入器の実質的な長さが縮小されて釣り人と船べり６０の間の空間が多少とも広くなることと、前記した中間点で折り返した釣り糸を釣り糸摩擦力保持部１２１の各々の釣り糸摩擦力保持部Ａの１２２ａから１２２ｆに挿入する場合に操作性が良くなる効果がある。
【符号の説明】
【００２７】
１  プラスチック製イカ角
２  プラスチック製イカ角
３  スッテ
４  スッテ
５  カンナ
６  イカ角軸
７  ハリス
８  釣り糸
９  結接点
１１  電動リール
１２  釣竿
２３  錘
４７  固定具
５１  サルカン
５２  フック
６０  船べり
６１  舷側
６６  ハンドル
６７  ネジ
６８  斜傾材
６９  斜傾材の斜面
７０  斜傾材のフック
７１  ガイド基板保持弾性体
７２  弾性体固定ネジ
７３  締めあげ金具
１００  反転助成バー支柱
１０１  反転助成バー
１０２  前面壁
１０３  隔壁
１０４  ベース基板
１０５  ハリス導入板
１０６  ハリス導入スリット
１０７  イカ角軸端ストッパー
１０８  先端バー
１０９  ハリス引き上げバー
１２０  釣り糸ガイド基板
１２１  釣り糸摩擦保持器
１２２  釣り糸摩擦力保持部Ａ
１２３  釣り糸摩擦保持用弾性体Ａ
１２６  釣り糸摩擦力保持部Ｂ
１２７  押え板
１２８  受け台
１２９  釣り糸摩擦保持用弾性体Ｂ
１３０  釣り糸中間ガイド板
１３１  釣り糸中間ガイドスリット
【図１】
2012175966.tif 000003
【図２】
2012175966.tif 000004
【図３】
2012175966.tif 000005
【図４】
2012175966.tif 000006
【図５】
2012175966.tif 000007
【図６】
2012175966.tif 000008
【図７】
2012175966.tif 000009
【図８】
2012175966.tif 000010
【図９】
2012175966.tif 000011
【図１０】
2012175966.tif 000012
【図１１】
2012175966.tif 000013
【図１２】
2012175966.tif 000014
【図１３】
2012175966.tif 000015
【図１４】
2012175966.tif 000016
【図１５】
2012175966.tif 000017